(57)【要約】【課題】乗客がボタンを操作してかごの行先階を登録をした際に、その行先階が周囲の他人に知られることがないエレベータの操作盤装置を提供する。【解決手段】エレベータのかごの行先階を登録するための複数のボタン装置１２が操作盤１０に配設され、各ボタン装置１２は階床文字表示用の表示板２０を有する操作ボタン１５を備え、乗客が所定の操作ボタン１５を操作することによりその情報がエレベータの制御盤に送られて行先階が登録されるエレベータの操作盤装置において、各操作ボタン１５の表示板２０は、階床文字を光学的に表示することが可能な液晶表示パネルで構成され、通常時には各表示板２０にそれぞれ異なる行先階の階床文字がランダムに並んで表示され、乗客が所定の操作ボタン１５を操作して行先階が登録されたときに、制御盤による制御で各操作ボタン１５の表示板２０の階床文字が操作前とは異なるランダムな並びに変化する。【選択図】    図４
2008037518.tif 000002
【特許請求の範囲】
【請求項１】
エレベータのかごの行先を登録するための複数のボタン装置が操作盤に配設され、各ボタン装置は階床文字表示用の表示板を有する操作ボタンを備え、乗客が所定の操作ボタンを操作することによりその情報がエレベータの制御盤に送られて行先が登録されるエレベータの操作盤装置において、
前記各操作ボタンの表示板は、階床文字を光学的に表示することが可能な光学式表示パネルで構成され、通常時には各表示板にそれぞれ異なる行先の階床文字がランダムに並んで表示され、乗客が所定の操作ボタンを操作して行先が登録されたときに、前記制御盤による制御で各操作ボタンの表示板の階床文字が操作前とは異なるランダムな並びに変化することを特徴とするエレベータの操作盤装置。
【請求項２】
エレベータのかごの行先を登録するための複数のボタン装置が操作盤に配設され、各ボタン装置は階床文字表示用の表示板を有する操作ボタン及び前記表示板を照光することが可能な光源を備え、乗客が所定の操作ボタンを操作することによりその情報がエレベータの制御盤に送られて行先が登録されるエレベータの操作盤装置において、
前記各操作ボタンの表示板にはそれぞれ異なる行先の階床文字が表示され、乗客が所定の操作ボタンを操作することにより行先が登録されたときに、前記制御盤による制御で各ボタン装置の光源が点灯して各操作ボタンの表示板が照光され、一定時間の経過後にその光源が消灯することを特徴とするエレベータの操作盤装置。
【請求項３】
エレベータのかごの行先を登録するための複数のボタン装置が操作盤に配設され、各ボタン装置は階床文字表示用の表示板を有する操作ボタンを備え、乗客が所定の操作ボタンを操作することによりその情報がエレベータの制御盤に送られて行先が登録されるエレベータの操作盤装置において、
前記各操作ボタンの表示板は、階床文字を光学的に表示することが可能な光学式表示パネルで構成され、通常時には各操作ボタンの表示板にそれぞれ異なる行先の階床文字が表示され、乗客が所定の操作ボタンを操作することにより行先が登録されたときに、前記制御盤による制御で前記各表示板の階床文字が光学的に一斉に消え、一定時間の経過後に階床文字が再表示されることを特徴とするエレベータの操作盤装置。
【請求項４】
請求項１又は３に記載の光学式表示パネルは、液晶表示パネルであることを特徴とするエレベータの操作盤装置。
【請求項５】
請求項２に記載の各操作ボタンの表示板は、表面に階床文字を印刷などの手段で表記してなるパネルで構成されていることを特徴とするエレベータの操作盤装置。
【請求項６】
前記各ボタン装置を備える操作盤は、エレベータのかご内又はエレベータホールの乗り場口に設けられていることを特徴とする請求項１乃至３のいずれかに記載のエレベータの操作盤装置。
【発明の詳細な説明】
【技術分野】
【０００１】
この発明は、エレベータのかごの行先を登録するためのエレベータの操作盤装置に関する。
【背景技術】
【０００２】
建屋のエレベータを利用する際には、まず建屋のエレベータホールにおいて、乗り場口操作盤を操作してかご呼びの登録を行ない、かごの到着を待つ。そしてエレベータホールにかごが到着した後に各乗客がそのかごに乗り込む。かごに乗り込んだ各乗客は、かご内操作盤の行先階ボタンを操作してそれぞれ自分の行先を登録し、かごが目的の行先階に到着した後にかごから降りる。このような乗客が操作する乗り場口操作盤やかご内操作盤については、例えば特開２００５−２６３３７８に開示されている。
【０００３】
操作盤には各階用の行先階ボタンが配列されており、乗客がそのうちの目的とする行先階ボタンを操作して登録すると、その行先階ボタンが点灯して登録済みが表示される。
【０００４】
【特許文献１】特開２００５−２６３３７８
【発明の開示】
【発明が解決しようとする課題】
【０００５】
ところで、マンションなどの集合住宅のエレベータにあっては、防犯やプライバシーなどの観点から、かごに乗ったときにそのかごに乗り合わせた他人に自分の行先階を知られたくない場合がある。
【０００６】
しかしながら従来のエレベータにあっては、かごに乗り込んでかご内操作盤を操作したときに、そのまま自分の行先階が継続して表示されてしまい、防犯やプライバシーの点で好ましくない状況が生じる。
【０００７】
また、エレベータホールに設置される乗り場口操作盤においても、行先階ボタンが設けられ、乗客がエレベータホールでその行先階ボタンを操作してかごが到着する前に予め行先階を登録しておくことができるようにした形式のもあるが、このような場合においても、その行先階ボタンにより自分の行先階が表示されてしまい、防犯やプライバシーの点で好ましくない場合が生じる。
【０００８】
この発明はこのような点に着目してなされたもので、その目的とするところは、乗客が行先階ボタンを操作して登録をしても、その行先階が周囲の他人に知られることがないエレベータの操作盤装置を提供することにある。
【課題を解決するための手段】
【０００９】
請求項１の発明は、エレベータのかごの行先を登録するための複数のボタン装置が操作盤に配設され、各ボタン装置は階床文字表示用の表示板を有する操作ボタンを備え、乗客が所定の操作ボタンを操作することによりその情報がエレベータの制御盤に送られて行先が登録されるエレベータの操作盤装置において、前記各操作ボタンの表示板が、階床文字を光学的に表示することが可能な光学式表示パネルで構成され、通常時には各表示板にそれぞれ異なる行先の階床文字がランダムに並んで表示され、乗客が所定の操作ボタンを操作して行先が登録されたときに、前記制御盤による制御で各操作ボタンの表示板の階床文字が操作前とは異なるランダムな並びに変化することを特徴としている。
【００１０】
請求項２の発明は、エレベータのかごの行先を登録するための複数のボタン装置が操作盤に配設され、各ボタン装置は階床文字表示用の表示板を有する操作ボタン及び前記表示板を照光することが可能な光源を備え、乗客が所定の操作ボタンを操作することによりその情報がエレベータの制御盤に送られて行先が登録されるエレベータの操作盤装置において、前記各操作ボタンの表示板にはそれぞれ異なる行先の階床文字が表示され、乗客が所定の操作ボタンを操作することにより行先が登録されたときに、前記制御盤による制御で各ボタン装置の光源が点灯して各操作ボタンの表示板が照光され、一定時間の経過後にその光源が消灯することを特徴としている。
【００１１】
請求項３の発明は、エレベータのかごの行先を登録するための複数のボタン装置が操作盤に配設され、各ボタン装置は階床文字表示用の表示板を有する操作ボタンを備え、乗客が所定の操作ボタンを操作することによりその情報がエレベータの制御盤に送られて行先が登録されるエレベータの操作盤装置において、前記各操作ボタンの表示板が、階床文字を光学的に表示することが可能な光学式表示パネルで構成され、通常時には各操作ボタンの表示板にそれぞれ異なる行先の階床文字が表示され、乗客が所定の操作ボタンを操作することにより行先が登録されたときに、前記制御盤による制御で前記各表示板の階床文字が光学的に一斉に消え、一定時間の経過後に階床文字が再表示されることを特徴としている。
【００１２】
請求項４の発明は、請求項１又は３に記載の光学式表示パネルが、液晶表示パネルであることを特徴としている。
【００１３】
請求項５の発明は、請求項２に記載の各操作ボタンの表示板が、表面に階床文字を印刷などの手段で表記してなるパネルで構成されていることを特徴としている。
【００１４】
請求項６の発明は、前記各ボタン装置を備える操作盤が、エレベータのかご内又はエレベータホールの乗り場口に設けられていることを特徴としている。
【発明の効果】
【００１５】
この発明によれば、乗客が操作ボタンを操作してかごの行先を登録をしたときに、その行先が周囲の他人に知られることがなく、防犯やプライバシーの点で有効となる。
【発明を実施するための最良の形態】
【００１６】
以下、この発明の実施形態について図面を参照して説明する。
【００１７】
図１には、かご１の内部の外観を示してあり、このかご１は側板２、床板３、天井板４、脇板５、幕板６などにより構成され、前面に出入口７を有し、この出入口７が例えば両開き式のドアパネル８により開閉されるようになっている。そして出入口７の一方側の脇板５に操作盤１０が設けられている。
【００１８】
操作盤１０はフェースプレート１１を有し、このフェースプレート１１に複数のボタン装置１２が一定の間隔をあけて上下に並ぶように配設されている。ボタン装置１２の平面図を図２に、断面図を図３にそれぞれ示してあり、フェースプレート１１には開口１４が形成され、この開口１４に操作ボタン１５が装着され、またフェースプレート１１の裏面に前記開口１４に対応してフレーム１６が取り付けられている。
【００１９】
操作ボタン１５は、外枠１９の表面中央部に表示板２０を取り付けてなり、外枠１９がフェースプレート１１の裏面側に配置され、表示板２０が開口１４を通してフェースプレート１１の表面側に露出するように支持されている。そして外枠１９がスプリング２２を介してフェースプレート１１の裏面に当接するように弾性的に付勢され、表示板２０の表面を指先で押圧したときに、操作ボタン１５の全体がスプリング２２に抗してフェースプレート１１の内側に向けて変位するようになっている。
【００２０】
表示板２０は、任意の数字を表示することが可能な光学式表示パネル、例えば液晶表示パネルからなり、また外枠１９は透光性を有する樹脂材料で形成され、その裏面中心部には操作ピン２３が一体的に設けられている。
【００２１】
前記フレーム１６には操作ボタン１５と対向して基板２６が取り付けられている。この基板２６には前記操作ピン２３と対向する位置に接点機構２７が取り付けられているとともに、この接点機構２７の周辺部において、前記表示板２０を照光するバックライト用のＬＥＤなどからなる複数の光源２８が配設されている。そして、操作ボタン１５を指先で押圧して変位させた際に操作ピン２３が接点機構２７に接触するようになっている。
【００２２】
液晶表示パネルからなる表示板２０及び基板２６に設けられた接点機構２７ならびに各光源２８は、このエレベータの運行を制御する制御盤３０に接続されている。制御盤３０は例えばかご１が昇降する昇降路（図示せず）の上部に設置されている。
【００２３】
なお、図２及び図３には操作盤１０に設けられた一つのボタン装置１２の構造を示してあるが、他のボタン装置１２も同様の構造に構成されている。また、操作盤１０には行先階登録用のボタン装置１２のほかに、ドアパネル８の開閉用のボタン３５や非常通報用のボタン３６などが設けられている。
【００２４】
次に作用について説明する。  
操作盤１０に配設された各操作ボタン１５の表示板２０には、建屋の各階床を表わす例えば『１』〜『５』の階床文字が光学的に表示されている。ただ、各表示板２０に表示された階床文字は、階床順に並ぶのではなく、図４（Ａ）に示すようにランダムな順不同の状態で並ぶように表示されている。
【００２５】
そして、かご１に乗客Ａが乗り込み、自分の行先の階を示す例えば『３』が表示されている操作ボタン１５を指先で押圧操作すると、その操作ボタン１５がフェースプレート１１の内側に変位して操作ピン２３が接点機構２７に接触し、この動作による信号が行先階の情報として制御盤３０に送られ、制御盤３０に行先階が登録される。この登録時には、図４（Ｂ）に示すように乗客Ａが操作した『３』の操作ボタン１５のバックライト用の光源２８が制御盤３０による制御で点灯し、その『３』の表示板２０が明るく表示され、これにより乗客Ａが行先の登録完了を知ることができる。
【００２６】
登録が完了した直後には、制御盤３０による制御で前記光源２８が消灯するとともに、制御盤３０から各ボタン装置１２における操作ボタン１５の表示板２０（液晶表示パネル）に駆動信号が送られ、各表示板２０の表示文字が他の階床文字に切り換わって図４（Ｃ）に示すように各表示板２０で表示される階床文字が当初とは別の順不同のランダムな状態で並ぶように制御される。
【００２７】
このように乗客Ａがある一つの操作ボタン１５を操作すると、その後に各操作ボタン１５の表示板２０で表示される階床文字がランダムに変化するため、かご１に乗り合わせた他の乗客Ｂが操作盤１０を見ても乗客Ａが登録した行先階を知ることができない。
【００２８】
各操作ボタン１５の階床文字は、一つの操作ボタン１５が操作されるたびにその並びが逐次に変化するが、制御盤３０はその変化した階床文字が表示されている操作ボタン１５が操作されたときに、その操作ボタン１５に表示されている階床を行先の階と判断して登録するようになっている。
【００２９】
したがって、乗客Ａが行先階を登録した後に、かご１に乗り合わせた他の乗客Ｂが階床文字の並びが変わった操作ボタン１５のうちの一つの所定の例えば『５』の階床文字が表示されている操作ボタン１５を操作すると、前述の場合と同様に、その操作ボタン１５のバックライト用の光源２８が制御盤３０による制御で点灯し、その操作ボタン１５の表示板２０が明るく表示されて登録完了が知らされ、この直後に制御盤３０による制御で前記光源２８が消灯するとともに、制御盤３０から各操作ボタン１５の表示板２０に駆動信号が送られ、各表示板２０により表示される階床文字が再びランダムに変化するように制御される。これにより、かご１に乗り合わせた他の乗客Ｂの行先階を乗客Ａが知ることもできない。
【００３０】
また、かご１が昇降移動して途中の階で乗客Ｃがかご１に乗ったときには、その乗客Ｃが同様の操作を行なう。この際にも、乗客Ｃが操作した行先階の操作ボタン１５の表示板２０に表示される階床文字がその操作後に変化して別の階床文字に変わるから、乗客Ｃの行先階を乗客Ａ，Ｂが知ることができない。
【００３１】
図５には第２の実施形態を示してある。この実施形態では、図５（Ａ）に示すように各操作ボタン１５の表示板２０に表示された階床文字が建屋の階床順に従って並ぶように配列されている。
【００３２】
そしてこの実施形態では、かご１に乗り込んだ乗客が行先階の階床文字が表示された一つの操作ボタン１５を押圧操作すると、前記第１の実施形態の場合と同様に、その操作ボタン１５に対応する接点機構２７が動作し、この動作による信号が行先階の情報として制御盤３０に送られ、制御盤３０に行先階が登録される。そしてこの登録時に制御盤３０による制御で操作盤１０の各ボタン装置１２の光源２８が一斉に通電されて点灯する。これにより、操作盤１０の各操作ボタン１５の表示板２０が図５（Ｂ）に示すようにそれぞれ明るく照らされ、これにより乗客に登録完了が知らされる。そして、一定時間が経過した時点に、各ボタン装置１２の光源２８が消灯し、図５（Ｃ）に示すように各操作ボタン１５が通常の表示状態となる。
【００３３】
このようにこの第２の実施形態では、行先階が表示された所定の操作ボタン１５を操作すると、各操作ボタン１５の表示板２０が一斉に明るく照光され、これにより乗客Ａは行先階の登録完了を知ることができる。そして、行先階の所定の操作ボタン１５を操作したときには、その操作ボタン１５の表示板２０を含めて他の階床用の操作ボタン１５の表示板２０のすべてが明るく照らされ、したがってかご１に乗り合わせた他の乗客Ｂは、乗客Ａがどの階床用の操作ボタン１５を操作したのかわからず、乗客Ａの行先階が乗客Ｂに知られることがない。また、乗客Ｂが行先階の登録操作を行なったときにも同様で、乗客Ａにその行先階が知られることがない。
【００３４】
なお、この実施形態においては、各操作ボタン１５の表示板２０に表示される階床文字は、階床順に並ぶ場合であっても、ランダムに並ぶ場合であってもよい。また、表示板２０の階床文字は、光学的に表示する場合に限らず、例えば表示板２０を透光性を有する材料からなるパネルで構成し、このパネルの表面に印刷手段などにより階床文字を表記する固定文字方式の場合であってもよい。  
さらに、操作ボタン１５の表示板２０を明るく照光する手段としては、光源を点滅して断続的に照光する場合や、発光色が変わるように照光するような場合であってもよい。
【００３５】
図６には第３の実施形態を示してある。この実施形態においては、各操作ボタン１５の表示板２０は制御盤３０により制御が可能な液晶表示パネルで構成され、通常時には各操作ボタン１５の表示板２０の表面には図６（Ａ）に示すように所定の階床文字が光学的に表示されている。
【００３６】
この実施形態の場合には、かご１に乗り込んだ乗客Ａが行先階の階床文字が表示されている一つの操作ボタン１５を押圧すると、前記第１の実施形態の場合と同様に、その操作ボタン１５に対応する接点機構２７が動作し、この動作による信号が行先階の情報として制御盤３０に送られ、制御盤３０に行先階が登録される。
【００３７】
そしてこの登録時には、各操作ボタン１５の表示板２０に制御盤３０から制御信号が送られ、その信号に基づいて各表示板２０に表示されている階床文字が図６（Ｂ）に示すように光学的に消えて非表示の状態になる。そして、一定時間が経過した時点に、各操作ボタン１５の表示板２０が制御盤３０による制御で再び駆動されて図６（Ｃ）に示すようにその表面に所定の階床文字が光学的に表示される。
【００３８】
このようにこの第３の実施形態では、行先階の操作ボタン１５を操作すると、各操作ボタン１５の表示板２０の階床文字が一斉に消え、これにより乗客Ａは行先階が登録されたと判断することができる。そして、行先階の操作ボタン１５を操作したときには、その操作ボタン１５の表示板２０を含む階床用のすべての表示板２０の表面の階床文字が消えるため、かご１に乗り合わせた他の乗客Ｂは、乗客Ａがどの階床用の表示板２０を操作したのか分からず、したがって乗客Ａの行先階が他の乗客Ｂに知られることがない。また、かご１に乗り合わせた他の乗客Ｂが行先階の登録操作を行なったときにも同様で、乗客Ａにその行先階が知られることがない。  
なお、この実施形態においても、各表示板２０で表示する階床文字は、ランダムに並ぶ形態とする場合であっても階床順に並ぶ形態とする場合であってもよい。
【００３９】
以上の実施形態では、かご１内に操作盤１０が設けられ、かご１に乗客が乗った後に、その操作盤１０の操作ボタン１５を操作して行先階を登録する場合の例であるが、図７に示すように、エレベータホールの乗り場口に設けられた操作盤４０に本発明を適用することも可能である。
【００４０】
すなわち、図７において、エレベータホールの乗り場口には、三方枠４１を備える乗降口４２が設けられ、この乗降口４２が例えば両開き式のドアパネル４３で開閉されるようになっている。そして、乗降口４２の脇に操作盤４０が設けられ、この操作盤４０に前記第１乃至第３の実施形態の場合と同様の行先階登録用の複数のボタン装置１２が組み付けられている。
【００４１】
この場合の各ボタン装置１２はかご呼び登録用を兼ねており、乗客がエレベータホールにおいて、行先階に対応するボタン装置１２の操作ボタン１５を操作すると、制御盤３０にかご呼びの登録と、行先階の登録がなされる。そして、当該エレベータホールにかごが到着し、そのかごに乗客が乗り込んだ後に、かごが予め登録されている行先階に向けて移動し、その行先階で停止する。
【００４２】
このような形態の場合においても、エレベータホールで乗客が操作盤４０のボタン装置１２を操作して行先階を登録したときに、その操作盤４０のボタン装置１２が前記第１乃至第３の実施形態の場合と同様に動作し、したがってその登録した行先階がエレベータホールでかごを待つ他の乗客に知られるようなことがない。
【００４３】
なお、前記各実施形態おいて、操作ボタンの表示板に表示する階床文字としては、アラビア数字を用いる場合に限らず、いわゆる絵文字を用いるような場合であってもよい。
【図面の簡単な説明】
【００４４】
【図１】この発明の一実施形態に係る操作盤装置を備えるエレベータのかごの内部構造を示す斜視図。
【図２】その操作盤装置の一部の正面図。
【図３】その操作盤装置の一部の断面図。
【図４】その操作盤装置の作用説明図。
【図５】この発明の第２の実施形態に係る操作盤装置の作用説明図。
【図６】この発明の第３の実施形態に係る操作盤装置の作用説明図。
【図７】この発明の実施形態に係る操作盤装置をエレベータホールの乗り場口に設ける場合の例を示す斜視図。
【符号の説明】
【００４５】
１…かご
１０…操作盤
１１…フェースプレート
１２…ボタン装置
１５…操作ボタン
１６…フレーム
１９…外枠
２０…表示板
２２…スプリング
２３…操作ピン
２６…基板
２７…接点機構
２８…光源
３０…制御盤
４０…操作盤
４１…三方枠
４２…乗降口
４３…ドアパネル
【図１】
2008037518.tif 000003
【図２】
2008037518.tif 000004
【図３】
2008037518.tif 000005
【図４】
2008037518.tif 000006
【図５】
2008037518.tif 000007
【図６】
2008037518.tif 000008
【図７】
2008037518.tif 000009